(57)【要約】【課題】エレベーターかご内の照明遮へい板を、人為的作業を伴うことなく自動清掃する。【解決手段】かご内の天井板４に設置された照明遮へい板５の一端の上方に、モータ（図示しない）で駆動される駆動滑車１１を設け、照明遮へい板５の他端の上方に従動滑車１３を設け、これらの滑車１１，１３にベルト１２を無端状に巻き掛ける。ベルト１２の下側に、下側が照明遮へい板５の内面に接触するブラシ１５，１６を取り付け、ブラシ１５，１６の間に空気の吸引器１７を配置する。設定時刻が到来すると駆動滑車１１が回転し、ブラシ１５，１６及び吸引器１７は移動し、駆動側及び従動側スイッチ１８，１９間を往復し、ブラシ１５，１６はほこりを集め、吸引器１７は舞い上がったほこりを吸引する。【選択図】      図３
2004352400.tif 000002
【特許請求の範囲】
【請求項１】
かごの天井部に照明灯が設置され、この照明灯の下方の天井板に照明遮へい板が設けられたかご内照明装置において、下端が上記照明遮へい板の内面に接触するブラシと、このブラシを水平方向へ移動する駆動装置とを備えたことを特徴とするエレベーターかご内照明装置の自動清掃装置。
【請求項２】
かごの天井部に照明灯が設置され、この照明灯の下方の天井板に長方形の照明遮へい板が設けられたかご照明装置において、複数個並設され下端が上記照明遮へい板の内面に接触するブラシと、この複数個のブラシ間に配置され空気を吸引する吸引器と、上記ブラシ及び吸引器を水平方向へ移動する駆動装置とを設け、設定時刻が到来すると設定時間上記駆動装置を動作させる移動指令手段を備えたことを特徴とするエレベーターかご内照明装置の自動清掃装置。
【請求項３】
移動指令手段は、設定時刻が到来すると設定時間移動装置を動作させて、ブラシ及び吸引器を照明遮へい板の両端間に往復移動させるものとしたことを特徴とする請求項２記載のエレベーターかご内照明装置の自動清掃装置。
【請求項４】
ブラシ及び吸引器の移動中に設定時間が終了しても、上記移動方向の終端まで上記ブラシ及び吸引器の移動を継続する移動継続手段を設けたことを特徴とする請求項３記載のエレベーターかご内照明装置の自動清掃装置。
【発明の詳細な説明】
【０００１】
【発明の属する技術分野】
この発明は、エレベーターのかご内に設置された照明装置に設けられた照明遮へい板を自動清掃する装置に関するものである。
【０００２】
【従来の技術】
従来のエレベーターのかご照明装置においては、照明遮へい板の側枠に清掃用穴を設け、この清掃用穴に磁石付の第１の清掃体を挿入し、一方、下部カバーに磁石付の第２の清掃体を当て、この第２の清掃体の移動に伴い第１の清掃体を移動させることで、照明遮へい板内部を清掃するようにしている（例えば、特許文献１参照）。
【０００３】
【特許文献１】
特開２００１−１７１９５２号広報（要約、図２）
【０００４】
【発明が解決しようとする課題】
上記のような従来のエレベーターのかご照明装置では、照明遮へい板内に挿入した磁石付の第１の清掃体を、下部カバーに当てた磁石付の第２の清掃体により吸着させて移動させることにより清掃するようにしているため、人為的作業を必要とすることは避けられない。また、第１の清掃体の移動により集められたほこり等を除去することができない等の問題点がある。
【０００５】
この発明は上記問題点を解消するためになされたもので、照明遮へい板を人為的作業を伴うことなく、清潔に自動清掃することができるようにしたエレベーターかご内照明装置の自動清掃装置を提供することを目的とする。
【０００６】
【課題を解決するための手段】
この発明に係るエレベーターかご内照明装置の自動清掃装置は、かごの天井部に照明灯が設置され、この照明灯の下方の天井板の照明遮へい板が設けられたかご内照明装置において、下端が照明遮へい板の内面に接触するブラシを設け、このブラシを駆動装置で水平方向へ移動するようにしたものである。
【０００７】
【発明の実施の形態】
実施の形態１．
図１〜図４はこの発明の第１〜第４発明の一実施の形態を示す図で、図１はかご内正面図、図２は清掃装置の平面図、図３は清掃装置の正面図、図４は清掃装置の動作回路図であり、図中同一符号は同一部分を示す。
【０００８】
図１〜図３において、エレベーターのかご１の天井部２には、照明灯３が設置され、この照明灯３の下方の天井板４には、アクリル樹脂板等で形成された照明遮へい板５が設けられている。この照明遮へい板５は、照明灯３として用いられる蛍光灯等を目立たないようにして、高級感のある外観を構成する役割りを持っている。ここでは、照明遮へい板５は長方形の箱状体に形成され、その左右の端部は天井板４に形成された屈曲部４ａに支持された例を示している。
【０００９】
照明遮へい板５の上部には、照明遮へい板５の内側を清掃する清掃装置６が設置され、清掃装置６を制御する制御器７が天井部２の上部に設置され、制御器７と清掃装置６は信号線８で接続されている。
【００１０】
清掃装置６は、制御器７で制御されるモータ９、モータ９で駆動され、照明遮へい板５の左端部に配置された駆動軸１０、駆動軸１０の両端に結合された駆動滑車１１、照明遮へい板５の前後（図２では上下に相当する。）の側部に配置され、無端状に形成されて駆動滑車１１に巻き掛けられたベルト１２、ベルト１２に巻き掛けられ照明遮へい板５の右端部に配置された従動滑車１３、従動滑車１３同士を結合する従動軸１４、ベルト１２の下面に固定され下端が照明遮へい板５の内面に接触するブラシ１５，１６及びブラシ１５，１６間に固定され空気を吸引する吸引器１７により構成されている。
【００１１】
また、照明遮へい板５の左端部付近の固定部には、ブラシ１５が接触すると動作する駆動側スイッチ１８及び右端部付近の固定部には、ブラシ１６が接触すると動作する従動側スイッチ１９が設置されている。
【００１２】
図４において、＋，−は直流電源、１８ａは駆動側スイッチ１８にブラシ１５が接触すると閉成する接点、１８ｂは同じく開放する接点、１９ａは従動側スイッチ１９にブラシ１６が接触すると閉成する接点、１９ｂは同じく開放する接点、２１ａ，２１ｂは設定時刻に閉成し、その後設定時間経過すると開放するタイマ接点、２２は右行リレーで、２２ａ〜２２ｂはその常開接点、２２ｅは同じく常閉接点、２３は左行リレーで、２３ａ〜２３ｂはその常開接点、２３ｅは同じく常閉接点である。
【００１３】
次に、この実施の形態の動作を説明する。
今、清掃装置６は停止状態にあり、ブラシ１５，１６及び吸引器１７は図３に示す位置よりもやや左側に位置し、ブラシ１５は駆動側スイッチ１８に接触して、接点１８ａが閉成しているものとする。このとき、ブラシ１５，１６及び吸引器１７は，天井板４の屈曲部４ａ内にあるため、かご１内から目視されることはない。
【００１４】
設定時間が到来してタイマ接点２１ａが閉成すると、（＋）−２１ａ−１８ａ−２３ｅ−２２−（−）の回路により、右行リレー２２は付勢され接点２２ａの閉成により自己保持する。また、接点２２ｂ〜２２ｄは閉成し、接点２２ｅは開放する。接点２２ｂ，２２ｃの閉成により、モータ９は回転し、駆動軸１０を介して駆動滑車１１が回転し、従動軸１４を介して従動滑車１３が従動し、ベルト１２の下側は図３の右方向へ駆動され、ブラシ１５，１６及び吸引器１７は右方向へ水平移動する。また、接点２２ｄの閉成により吸引器１７は付勢される。
【００１５】
上記移動直後、ブラシ１５は駆動側スイッチ１８を離れ、接点１８ａは開放するが、回路上は何の変化も発生せず、ベルト１２の移動は継続する。これで、ブラシ１５，１６は照明遮へい板５の内面を摺動してほこり等をはく離し、舞い上がったほこり等は吸引器１７により吸引される。
ブラシ１５，１６及び吸引器１７が、照明遮へい板５の右端に移動し、ブラシ１６が従動側スイッチ１９に接触すると、接点１９ｂが開放し、右行リレー２２は消勢され、接点２２ａ〜２２ｄは開放し、接点２２ｅは閉成する。
【００１６】
このとき、接点１９ａは閉成しているので、（＋）−２１ｂ−１９ａ−２２ｅ−２３−（−）の回路により左行リレー２３は付勢され、接点２３ａの閉成により自己保持する。また、接点２３ｂ〜２３ｄは閉成し、接点２３ｅは開放する。接点２３ｂ，２３ｃの閉成により、モータ９は逆転し、ベルト１２の下側は図３の左方向へ駆動され、ブラシ１５，１６及び吸引器１７は左方向へ水平移動する。また、吸引器１７は付勢される。これで、右方向移動の場合と同様に、清掃作業が自動的に実行される。
【００１７】
ブラシ１５が駆動側スイッチ１８に接触すると、モータ９の回転は逆転し、ブラシ１５，１６及び吸引器１７は再び右方向へ移動し、上記動作が繰り返される。ブラシ１５，１６及び吸引器１７が右方向へ移動中に、タイマの設定時間が終了して接点２１ａが開放しても、右行リレー２２は消勢されず、右方向への移動は継続する。ブラシ１６が従動側スイッチ１９に接触して、接点１９ｂが開放すると右行リレー２２は消勢され、ブラシ１５，１６及び吸引器１７は停止する。
【００１８】
ここで、モータ９、駆動軸１０、駆動滑車１１、ベルト１２、従動滑車１３及び従動軸１４は駆動装置を、右行リレー２２及び左行リレー２３は移動指令手段を、接点２２ａ−接点１９ｂ及び接点２３ａ−接点１８ｂは移動継続手段を構成している。
このようにして、設定時刻が到来すると、以後設定時間ブラシ１５，１６が移動してほこり等を集め、かつこれを吸引器１７が吸引するため、ほこりの飛散は防止され、人為的作業を伴うことなく、照明遮へい板５を自動清掃し、常に照明遮へい板５を清潔に保つことが可能となる。
【００１９】
また、設定時刻及び設定時間を変更することにより、建物の使用事情に適した時刻に必要な時間自動清掃をすることが可能となる。また、ブラシ１５，１６及び吸引器１７の移動中、設定時間が終了しても、ブラシ１５，１６及び吸引器１７は照明遮へい板５の端部まで移動するため、清掃終了後かご１内からブラシ１５，１６及び吸引器１７が目視されることを防ぐことが可能となる。
【００２０】
その他の実施の形態
次のように実施することも可能である。
（１）実施の形態１では、駆動装置をリレー回路で制御するものとしたが、これをコンピューターにより制御する。
（２）実施の形態１では、清掃動作の開始及び終了をタイマで制御するものとしたが、これを手動スイッチの操作により制御する。
【００２１】
【発明の効果】
以上説明したとおりこの発明では、下端が照明遮へい板の内面に接触するブラシを設け、このブラシを駆動装置で水平方向へ移動するようにしたので、人為的作業を伴うことなく、照明遮へい板を自動清掃し、常に照明遮へい板を清潔に保つことができる。
【図面の簡単な説明】
【図１】この発明の実施の形態１を示すかごの内正面図。
【図２】図１の清掃装置の平面図。
【図３】図１の清掃装置の正面図。
【図４】図１の清掃装置の動作回路図。
【符号の説明】
１  かご、  ２  天井部、  ３  照明灯、  ４  天井板、  ５  照明遮へい板、  ６  清掃装置、  ７  制御器、  ９  モータ、  １０  駆動軸、  １１  駆動滑車、  １２  ベルト、  １３  従動滑車、  １４  従動軸、  １５，１６  ブラシ、  １７  吸引器、  １８  駆動側スイッチ、  １８ａ，１８ｂ  駆動側スイッチ接点、  １９  従動側スイッチ、  １９ａ，１９ｂ  従動側スイッチ接点、  ２１ａ，２１ｂ  タイマ接点、  ２２  右行リレー、  ２２ａ〜２２ｄ  右行リレー接点、  ２３  左行リレー、  ２３ａ〜２３ｄ  左行リレー接点。
【図１】
2004352400.tif 000003
【図２】
2004352400.tif 000004
【図３】
2004352400.tif 000005
【図４】
2004352400.tif 000006